(57)【要約】  【課題】インバータ技術などの省エネ技術を採用した業務用冷蔵庫を使用するにあたり、メンテナンスの必要性の警告や、インバータ技術による高効率運転をしているなどを使用者に効果的に示すことのできる表示および制御手段を搭載した冷蔵庫を提供することを目的とする。  【解決手段】庫内別の庫内温度表示部３０と、インバータ制御により回転数を可変できる圧縮機への指令回転数を運転負荷として表示する運転負荷表示部３１と、凝縮器フィルターの目詰まりによって凝縮温度が圧縮比保護領域に達した時に必要になる、凝縮器フィルター掃除の時期を示すフィルター掃除表示部３２を備えた表示および制御手段を有する。【選択図】図６
2005300100.tif 000002
【特許請求の範囲】
【請求項１】
圧縮機と、蒸発器と、凝縮器と、膨張手段により構成された冷却システムと、前記冷却システムに前記凝縮器の温度状態を検知する凝縮器温度センサーと、前記凝縮器温度センサーにより検知した前記凝縮器の温度が圧縮機の圧縮比保護領域に達した場合に、凝縮器フィルターが掃除を必要としていることを使用者に警告する制御および表示手段を有することを特徴とする冷蔵庫。
【請求項２】
圧縮機と、蒸発器と、凝縮器と、膨張手段により構成された複数の冷却システムと、それぞれ前記冷却システム毎に備えられた前記凝縮器の温度状態を検知する凝縮器温度センサーと、前記凝縮器温度センサーにより検知した前記凝縮器の温度が圧縮機の圧縮比保護領域に達した場合に、前記複数の冷却システムのうちどの冷却システムの凝縮器フィルターが掃除を必要としているかを使用者に警告する制御および表示手段を有することを特徴とする冷蔵庫。
【請求項３】
圧縮機と、蒸発器と、凝縮器と、膨張手段により構成された複数の冷却システムと、それぞれ前記冷却システム毎備えられた前記凝縮器の温度状態を検知する凝縮器温度センサーと、それぞれの前記冷却システムの凝縮器の温度の中で、いずれかの凝縮器温度が、圧縮比保護領域に達している場合に、冷蔵庫として凝縮器フィルターが掃除を必要としていることを使用者に警告する制御および表示手段を有することを特徴とする冷蔵庫。
【請求項４】
前記圧縮機の回転数を可変するインバータと、圧縮機への指令回転数を冷却システムそれぞれの運転負荷として、前記運転負荷の状態を使用者に報知する制御および表示手段を有することを特徴として請求項１または請求項２に記載の冷蔵庫。
【請求項５】
前記圧縮機の回転数を可変するインバータと、それぞれの前記冷却システムの中で、最も高い前記圧縮機への指令回転数を判断する制御手段と、最も高い指令回転数を冷蔵庫全体の運転負荷として使用者に報知する制御および表示手段を有することを特徴とする請求項３に記載の冷蔵庫。
【請求項６】
前記圧縮機の回転数を可変するインバータと、前記圧縮機への指令回転数を予測運転負荷とし、実際に動作している圧縮機からの信号より実測運転負荷を算出し、前記予測運転負荷と前記実測運転負荷をそれぞれ表示し、前期予測運転負荷と前記実測運転負荷とである所定値以上の差が生じた異常時の場合に、運転負荷と同時に異常警告を使用者に報知する表示手段を有することを特徴とする請求項１から請求項５のいずれか一項に記載の冷蔵庫。
【請求項７】
冷却システムの制御手段にタイマーを設け、ある時間の間、圧縮機への指令回転数に変化がないと判断したときに、表示手段を消灯する制御手段を備えたことを特徴とする請求項１から請求項６のいずれか一項に記載の冷蔵庫。
【請求項８】
表示手段を消灯後、圧縮機への指令回転数に少しでも変化を検知した場合または、冷蔵庫筐体内に振動センサーを設け、少しでも振動を検知した場合に、表示手段の再点灯を行う制御手段を備えたことを特徴とする請求項１から請求項６のいずれか一項と請求項７に記載の冷蔵庫。
【発明の詳細な説明】
【技術分野】
【０００１】
本発明は、消費電力の低減を図る省エネ技術を採用した冷蔵庫に関するものである。
【背景技術】
【０００２】
近年、環境を重視する傾向が強くなり、家電の分野、特に冷蔵庫は、購入してから買い換えるまで、電気を入れつづけている機器であり、環境に対して消費電力の低減に対して多くの省エネ技術が発明されている。その中で、代表的な技術として挙げられるのがインバータ技術である。その技術は、家庭用冷蔵庫の分野では広く普及しているが、業務用の分野では家庭用ほど普及していないのが実情である。しかし今後、業務用の分野も家庭用と同様、ランニングコストの低減にもつながる省エネ化が叫ばれることは容易に予想される。また、業務用の冷蔵庫は、家庭用と比べて、使用環境も厳しく、凝縮器フィルターの掃除などメンテナンスが必要になる。
【０００３】
そこで、メンテナンスの必要性などを使用者に報知するために、冷蔵庫には運転状態を表示する手段が搭載されている。従来の表示手段の一例として、特許文献１に示されているものがある。
【０００４】
特許文献１に示されたものは、複数の運転機能を複数のスイッチで設定する冷蔵庫において、各種運転機能に関する情報を表示及び音声報知するものである。
【０００５】
以下、図面を参照しながら上記従来の表示装置について説明する。
【０００６】
図１１は，従来の冷蔵庫表示装置の構成図である。操作パネル４０は、スピード冷却解凍表示４２と、ボタンロック表示４３と、省エネ表示４４と、音声出力表示４５と、切換室表示部４６と、タイマー表示部４７と、冷蔵室表示部４８と、製氷表示部４９と、冷凍室表示部５０とで構成されている表示部４１と、各操作を行う、スピード冷却スイッチ５０と、スピード解凍スイッチ５２と、スピード冷凍スイッチ５３と、切換室設定スイッチ５４と、タイマー設定スイッチ５５と、冷蔵室温度設定スイッチ５６と、冷凍室温度設定スイッチ５７と、製氷スイッチ５８で構成されている。
【０００７】
以上のように構成された表示装置を設けることで、目的に応じて５１から５８の各スイッチによって、冷蔵庫を操作することができ、かつ表示部４１の中に操作された冷蔵庫の状態が表示されることで、使用者にとって視認性や使い勝手の向上につながる。
【特許文献１】特開２００２−７１２５９号公報
【発明の開示】
【発明が解決しようとする課題】
【０００８】
しかしながら、上記従来の構成は、特に業務用の分野では、家庭用冷蔵庫とは違い、表示による使い勝手より、しっかり冷えることが重要視され、表示機能が意味のあるものと認知されことは少なく、求められるニーズも少なかった。また、省エネによるランニングコストの低減は、使用者にもメリットのあるものであるが、インバータ技術による省エネ化など図られなかった。
【０００９】
本発明は従来の課題を解決するもので、インバータ技術などの省エネ技術を採用した業務用冷蔵庫を使用するにあたり、凝縮器フィルターの掃除などのメンテナンスの必要性の警告やインバータ技術による高効率運転をしているなどを使用者に効果的に示すことのできる表示および制御手段を搭載した冷蔵庫を提供することを目的とする。
【課題を解決するための手段】
【００１０】
上記従来の課題を解決するために、本発明の冷蔵庫は、圧縮機と、蒸発器と、凝縮器と、膨張手段により構成される冷却システムにおいて、冷却システムに凝縮器の温度状態を検知する凝縮器温度センサーと、凝縮器の温度が圧縮比保護領域に達しているか判断する制御手段と、冷却システムの凝縮器フィルターの掃除の必要性を使用者に報知する表示手段を備えている。
【００１１】
これによって、凝縮器温度センサーにより検知した凝縮器の温度が圧縮比保護制御域に達した場合に、冷却システムの凝縮器のフィルターの掃除が必要としているかを使用者に判りやすく報知することができる。
【００１２】
また、本発明の冷蔵庫は、複数の冷却システムを有した場合で、それぞれの冷却システム毎に凝縮器が圧縮比保護領域に達しているかを判断する制御手段と、冷却システム毎に凝縮器フィルターの掃除の必要性を使用者に報知する表示手段を備えている。
【００１３】
これによって，凝縮器温度センサーにより検知した凝縮器の温度が圧縮比保護領域に達した時、どの冷却システムの凝縮器フィルターが掃除を必要としているのかを使用者に分かり易く報知することができる。
【００１４】
また、本発明の冷蔵庫は、複数の冷却システムを有した場合で、それぞれの冷却システムの凝縮器の温度の中で、いずれか１つ冷却システムの凝縮器温度が圧縮比保護領域に達しているかを判断する制御手段と、凝縮器フィルター掃除の表示手段を１つ備えたものである。
【００１５】
これによって、冷却システム分の凝縮器フィルター掃除の表示手段を備える必要がなく、１つだけ表示手段を備えておけばよいので、表示手段の低コスト化が図れ、かつ使用者に凝縮器のフィルターの掃除の必要性の警告を報知することができる。
【００１６】
また、本発明の冷蔵庫は、１つもしくは複数の冷却システムの中に、圧縮機の回転数を可変するインバータと、圧縮機への指令回転数をそれぞれ運転負荷として算出する制御手段と、冷却システム毎に運転負荷を表示する手段を備えたものである。
【００１７】
これによって、冷却システム毎のそれぞれの運転負荷の状態を使用者に報知することができる。
【００１８】
また、本発明の冷蔵庫は、複数の冷却システムを有した場合に、それぞれの冷却システム中で、どの圧縮機への指令回転数が最も高いかを判断する制御手段と、最も高い圧縮機への指令回転数を冷蔵庫全体の運転負荷として示す表示手段を１つ備えたものである。
【００１９】
これによって、冷却システム分の運転負荷の表示手段を準備する必要がなく、１つだけ運転負荷を示す表示手段を備えておけばよいので、表示手段の低コストが図れ、使用者に冷蔵庫の運転負荷を報知することができる。
【００２０】
また、本発明の冷蔵庫は、圧縮機への指令回転数を予測運転負荷と試算し、実際の圧縮機からの信号より実測運転負荷を試算する制御手段と、予測運転負荷と実測運転負荷を比較する制御手段と、予測運転負荷と実測運転負荷と、予測運転負荷と実測運転負荷にある所定値以上の差が生じた異常時に、運転負荷と同時に冷蔵庫の異常警告を示す表示手段を備えたものである。
【００２１】
これによって、予測と実際の運転負荷の比較差がある所定値以上の差が発生した場合、特に圧縮機に予定外のトルクが発生している時などは、予測運転負荷に対して実測運転負荷が下回ることが考えられ、予測と実測の運転負荷と同時に異常時警告を報知することで、使用者は冷蔵庫の状態を正確に把握することができ、省エネ運転のためのメンテナンス意識の効果的に促すことができる。
【００２２】
また、本発明の冷蔵庫は、制御手段にタイマーを設け、ある時間の間、圧縮機への指令回転数に変化がないと判断した場合、表示手段を消灯する制御手段を備えたものである。
【００２３】
これによって、表示手段の消費電力を削減でき、さらなる省エネを実現できる。
【００２４】
また、本発明の冷蔵庫は、表示手段を消灯後、少しでも圧縮機への指令回転数に変化を検知した場合や、冷蔵庫本体に振動を検知した場合に、表示手段の再点灯を行う制御手段を備えたものである。
【００２５】
これによって、表示手段の消灯後も、使用者がすぐに冷蔵庫の運転状態を確認できるという作用を有す。
【発明の効果】
【００２６】
本発明の冷蔵庫は、業務用冷蔵庫のように使用環境が厳しい場所においても、凝縮器温度の上昇が圧縮比保護領域に達しているかを監視し、凝縮器温度の上昇を招く凝縮器フィルターの目詰まりを警告する表示手段を備えているので、的確に凝縮器フィルターの掃除時期を使用者に報知することができる。
【００２７】
また、本発明の冷蔵庫は、圧縮機への指令回転数を運転負荷として算出する制御手段と、算出された運転負荷を表示する手段を備えているので、使用者は冷蔵庫がどのような運転負荷状態か把握することができる。
【００２８】
本発明の冷蔵庫は、圧縮機への指令回転数により試算した冷却システムの運転負荷が、ある時間変化がないと判断したときに表示手段を消灯する制御手段を備えることで、表示手段の消費電力を削減でき、さらなる省エネを実現できる。
【００２９】
また、本発明の冷蔵庫は、表示手段を消灯後、少しでも圧縮機への指令回転数に変化を検知した場合や、冷蔵庫本体に振動を検知した場合に、表示の再点灯を行う制御手段を備えることで、表示手段の消灯後、使用者がすぐに冷蔵庫の状態を確認できる。
【発明を実施するための最良の形態】
【００３０】
請求項１に記載の発明は、圧縮機と、蒸発器と、凝縮器と、膨張手段により構成される冷却システムを有する冷蔵庫において、冷却システムに凝縮器の温度状態を検知する凝縮器温度センサーと、凝縮器温度が圧縮比保護領域に達したかを判断する制御手段と、凝縮器フィルターの掃除の必要性を使用者に報知する表示および制御手段が備えられているので、凝縮器温度センサーにより検知した凝縮器の温度が圧縮比保護領域に達した時に、凝縮器フィルターの掃除が必要としていることを使用者に報知することができる。
【００３１】
また、請求項２に記載の発明は、複数の冷却システムを有する冷蔵庫において、それぞれの冷却システム毎に凝縮器温度を検知する凝縮器温度センサーと、冷却システム毎に凝縮器フィルターの掃除の必要性を使用者に報知する制御および表示手段を備えているので、複数ある冷却システムのうち、どの冷却システムが、どの凝縮器フィルターが掃除を必要としているのか、使用者は明確に把握することができる。
【００３２】
請求項３に記載の発明は、複数の冷却システムを有する冷蔵庫において、それぞれの冷却システムの凝縮器の温度の中で、いずれかの凝縮器温度が圧縮比保護領域に達しているかを判断する制御手段を備えているので、冷却システム分の凝縮器フィルター掃除の表示手段を備える必要がなく、１つだけ表示手段を備えておけばよいので、表示手段の低コスト化が図れ、かつ請求項１または請求項２と同様、使用者に凝縮器フィルターの掃除の必要性を報知することができる。
【００３３】
また、請求項４に記載の発明は、請求項１または請求項２に記載の発明に加えて、圧縮機の回転数を可変するインバータと、１つまたは複数それぞれの圧縮機への指令回転数を冷却システムそれぞれの運転負荷として表示を行う手段を備えることで、それぞれ冷却システム毎に運転負荷状態を使用者に報知することができる。
【００３４】
また、請求項５に記載の発明は、請求項３に記載の発明に加えて、複数の冷却システムにおいて、圧縮機の中で、どの圧縮機への指令回転数が最も高いかを判断する制御手段を備え、その指令回転数を冷蔵庫全体の運転負荷として示す表示部を１つ備えることで、冷却システムの数分の運転負荷表示手段を備える必要がなく、表示手段の低コストが図れ、かつ請求項４と同様、使用者に冷蔵庫の運転負荷を報知することができる。
【００３５】
また、請求項６に記載の発明は、請求項１から請求項５のいずれか一項に記載の発明において、圧縮機への指令回転数を予測運転負として試算し、実際の圧縮機からの信号より実測運転負荷を試算し、予測と実際の運転負荷の比較手段を制御手段に設けることで、運転負荷の予測値と実測値の比較差がある所定値以上発生した場合、特に予測運転負荷に対して実測運転負荷が下回る場合を異常時として、使用者に異常警告を示す表示手段を備えることで、冷蔵庫の運転状態をより正確に表示することができる。使用者にとって、冷蔵庫の状態をより正確に把握することができ、結果省エネ運転を意識することにつながる。
【００３６】
また、請求項７に記載の発明は、請求項１から請求項６のいずれか一項に記載の発明において，圧縮機への指令回転数により試算した冷却システムの運転負荷が、ある時間変化がないと判断したときに表示手段を消灯する制御手段を備えることで、表示手段の消費電力を削減でき、さらなる省エネを実現できる。
【００３７】
また、請求項８に記載の発明は、請求項１から請求項６のいずれか一項に記載の発明と請求項７に記載の発明に、表示手段を消灯後、少しでも圧縮機への指令回転数に変化を検知した場合や、冷蔵庫本体に振動を検知した場合に、表示の再点灯を行う制御手段を備えることで、表示手段の消灯後、使用者がすぐに冷蔵庫の状態を確認できる。
【００３８】
以下、本発明による冷蔵庫の実施の形態について、図面を参照しながら説明する。なお、この実施の形態によってこの発明が限定されるものではない。
【００３９】
（実施の形態１）
図１は本発明の実施の形態による２つの冷却システムを有する冷蔵庫の構成図である。図２は、同実施の形態による制御手段に用いられる圧縮比保護領域を示す特性図である。図３は、実施の形態１による冷蔵庫の表示手段の概略図である。図４と図５は、実施の形態１による表示動作を示すフローチャートである。
【００４０】
図１に示すように、本実施例の冷蔵庫は、インバータ制御により回転数を可変できる圧縮機３と、凝縮器４と、膨張手段５と、蒸発器６と、蒸発器用ファン７と、凝縮器用ファンと、蒸発器用温度センサー９と、凝縮器用温度センサー１０と、凝縮器フィルター１１と、庫内温度センサー１２と、それらを制御するから制御装置等から構成されている１つの冷却システムが１つの庫内に備えられており、冷蔵庫筐体１は２つの庫内で構成されているので２つの冷却システムを有し、それら２つの冷却システムの中で制御装置１と制御装置２、冷却システム１と冷却システム２とを区別している。
【００４１】
また、制御装置１は表示手段１９と外気温センサー１４が接続されており、制御装置２とも通信手段１８によって接続されている。
【００４２】
また、図３に示すように、本実施例の表示手段は、冷却システム毎に運転状態を表示するため、庫内別に、庫内温度表示部３０と、冷却システムの運転負荷を表示する運転負荷表示部３１と、凝縮機フィルターの掃除が必要であることを警告するフィルター掃除表示部３２で構成されている。
【００４３】
以上のように構成された冷蔵庫の表示動作例について図２から図５を参照して説明する。
【００４４】
まず、図４が凝縮器フィルターの掃除の警告表示の行う動作フローを示している。ＳｔｅｐＡ１とＳｔｅｐＡ２において、２つの冷却システムの中でそれぞれの凝縮器温度センサー１０により凝縮器４の温度を検知する。次にＳｔｅｐＢ１とＳｔｅｐＢ２において、２つの冷却システムのそれぞれの制御装置の中で、検知された凝縮器６の温度が、図２に示す圧縮比保護領域または、ある所定値以上に達しているかどうかの判断を行う。達していない場合は、何も行わず凝縮器６の温度の監視を続ける。
【００４５】
もし，凝縮器６の温度が圧縮比保護領域または、ある所定値以上に達していた場合、通信手段１８により凝縮器４の温度情報が制御装置１に集約され、制御装置１が、ＳｔｅｐＣ１とＳｔｅｐＣ２として、凝縮器フィルターの掃除の必要性の警告するため、図３の表示手段に示すフィルター掃除表示部３２を点灯させる。これは、凝縮温度が上昇して、図２に示す圧縮比保護領域またはある所定値以上に達することは、圧縮機の負荷を大きくし、結果、消費電力の増大となりインバータによる省エネ効果を妨げることになる。
【００４６】
通常、家庭用、業務用問わずこの圧縮比保護領域またはある所定値以上まで凝縮温度が上昇するのを防ぐ設計としている。しかし、業務用冷蔵庫においては、使用環境が家庭と比べて厳しいため、油やほこりなどで汚れた空気により、空気の吸い込み口にある凝縮器フィルターに目詰まりが生じ、その目詰まりが凝縮温度の上昇を招くことになる。したがって、過剰な運転負荷の増大を避け、省エネ効果を維持させるためには、定期的に凝縮器フィルターの目詰まりを掃除する作業が必要となる。
【００４７】
従来、業務用冷蔵庫でインバータ制御を搭載していない機種においては、図２に示すように、凝縮温度が６０℃以上で凝縮器フィルターの掃除警告の表示を行っていたが、警告基準に圧縮比保護範囲を追加した。以上のように、消費電力の増大を避け、省エネ効果を維持させるためには、凝縮器温度が圧縮比保護範囲に達した時においても、凝縮器フィルターの掃除を警告する必要がある。
【００４８】
次に、図５は冷却システムの運転負荷の表示を行う動作フローを示す。まずＳｔｅｐＤ１とＳｔｅｐＤ２として、２つの冷却システムの中のそれぞれの庫内温度センサー１２により実際の庫内温度を検知する。次に、ＳｔｅｐＥ１（ＳｔｅｐＥ１−１からＳｔｅｐＥ１−３）とＳｔｅｐＥ２（ＳｔｅｐＥ２−１からＳｔｅｐＥ２−３）として、２つの冷却システムのそれぞれの制御装置により、庫内の設定温度と実際の庫内温度を比較し、設定温度より庫内温度が高い場合に、圧縮機３に回転数を加速させる指令を出し、その指令回転数を運転負荷として算出を行う。
【００４９】
また、庫内温度が設定温度に近いもしくは少し低い場合は、回転数加速指令を出さずに、その時点での指令回転数を運転負荷として算出を行う。次に運転負荷の情報を通信手段１８により制御装置１集約し、制御装置１が、ＳｔｅｐＦ１とＳｔｅｐＦ２として、現在の運転負荷を報知するため、図３の表示手段に示す、運転負荷表示部３１を点灯させる。
【００５０】
以上のように、本実施の形態の冷蔵庫は、部屋毎に冷却システムが備えられており、冷却システム別に庫内温度状態と、運転負荷状態と、凝縮器フィルター１１の掃除時期を報知させる手段を備えているので、冷却システムごとの管理が容易になり、特に凝縮器フィルターの掃除に関しては、どの冷却システムの凝縮器フィルターが掃除を必要としているのか分かりやい表示構成となっている。使用者は、ランニングコストの低減のため、省エネ意識を容易に持つことができる。
【００５１】
（実施の形態２）
図１は本発明の実施の形態による２つの冷却システムを有する冷蔵庫の構成図である。図２は、同実施の形態による制御手段に用いられる圧縮比保護領域を示す特性図である。図６は、実施の形態２による冷蔵庫の表示手段の概略図である。図７と図８は、実施の形態２による表示動作を示すフローチャートである。
【００５２】
図６に示すように、本実施例の表示手段は、冷却システム毎に運転状態を表示するため、庫内別に庫内温度表示部３０を備え、冷却システムの運転負荷を表示する運転負荷表示部３１と、凝縮機フィルターの掃除が必要であることの警告を促すフィルター掃除表示部３２は１つで構成されている。
【００５３】
以上のように構成された冷蔵庫の表示動作例について図２および図６から図８を参照して説明する。
【００５４】
まず、図７は図４と同様、凝縮器フィルターの掃除の警告表示の行う動作フローを示している。ＳｔｅｐＡ１とＳｔｅｐＡ２において、２つの冷却システムの中でそれぞれの凝縮器温度センサー１０により凝縮器４の温度を検知する。次にＳｔｅｐＢ１−１とＳｔｅｐＢ２において、それぞれの制御装置の中で、検知された凝縮器４の温度が圧縮比保護領域または、ある所定値以上に達しているかの判断を行う。
【００５５】
達していない場合は、それぞれの制御装置で引き続き監視を続ける。いずれかの凝縮器４の温度が前記条件を満たした場合、通信手段１８により制御装置１に凝縮器の温度状態が集約され、２つの冷却システムの凝縮温度の中でより高い値を代表値として、制御装置１がＳｔｅｐＣとして、凝縮器フィルターの掃除の必要性の警告するため、図６の表示手段に示すフィルター掃除表示部３２を点灯させる。
【００５６】
次に、図８は図５と同様、冷却システムの運転負荷の表示を行う動作フローを示している。まずＳｔｅｐＤ１とＳｔｅｐＤ２として、２つの冷却システムの中のそれぞれの庫内温度センサー１２により実際の庫内温度を検知する。次に、ＳｔｅｐＥ１（ＳｔｅｐＥ１−１からＳｔｅｐＥ１−３）とＳｔｅｐＥ２（ＳｔｅｐＥ２−１からＳｔｅｐＥ２−３）として、２つの冷却システムのそれぞれの制御装置により、庫内の設定温度と実際の庫内温度を比較し、設定温度より庫内温度が高い場合に、圧縮機の回転数を加速させる指令を出し、その指令回転数を運転負荷（運転負荷１と運転負荷２）として算出を行う。
【００５７】
また、庫内温度が設定温度に近いもしくは少し低い場合は、回転数加速指令を出さずに、その時点での指令回転数を運転負荷（運転負荷１と運転負荷２）として算出を行う。次に、制御装置２で算出された運転負荷２を通信手段１８により、制御装置１に集約し、ＳｔｅｐＥ１−４として制御装置１の中で運転負荷１と運転負荷２どちらが最も高い値なのかを判断する。最後に、高いと判断された運転負荷を冷蔵庫の運転負荷として、制御装置１が、図６の表示手段に示す運転負荷表示部３１を点灯させる。
【００５８】
以上のように、本実施の形態の冷蔵庫は、部屋毎に冷却システムが備えられているが、冷却システム別に表示されている情報は庫内温度状態のみであり、運転負荷とフィルター掃除時期を示す表示部は１つとし、複数の冷却システムの中で、高い値の運転負荷を表示することと、最も高い値でかつ圧縮比保護領域またはある所定値以上に達している凝縮器温度を判断してのフィルター掃除時期を表示する制御手段を加えることで、冷却システム毎に各表示部を備えたものと比べ、表示手段が削減されているためコストダウンが図れ、かつ使用者に冷蔵庫の省エネ運転のための最低限の情報提供を行うことが出来る。
【００５９】
（実施の形態３）
図１は本発明の実施の形態による２つの冷却システムを有する冷蔵庫の構成図である。図２は同実施の形態による制御手段に用いられる圧縮比保護領域を示す特性図である。図９は実施の形態３による冷蔵庫の表示手段の概略図である。図１０は実施の形態３による冷却システムの運転負荷の表示動作を示すフローチャートであり、凝縮器フィルターの掃除の警告表示の行う動作フローは、実施の形態１と同様とする。
【００６０】
まず、図９に示すように、本実施例の表示手段は、冷却システム毎に運転状態を表示するため、庫内別に、庫内温度表示部３０と、冷却システムの予測運転負荷を表示する予測運転負荷表示部３３と、冷却システムの実測運転負荷を表示する実測運転負荷表示部３４と、凝縮機フィルターの掃除が必要であると警告を促すフィルター掃除表示部３２と、警告内容を表示する警告表示部３５で構成されている。
【００６１】
図１０に示すように、運転負荷を表示する動作は、まずＳｔｅｐＤ１とＳｔｅｐＤ２として、２つの冷却システムの中のそれぞれの庫内温度センサー１２により実際の庫内温度を検知する。次に、ＳｔｅｐＥ１（ＳｔｅｐＥ１−１からＳｔｅｐＥ１−４）とＳｔｅｐＥ２（ＳｔｅｐＥ２−１からＳｔｅｐＥ２−４）として、２つの冷却システムのそれぞれの制御装置により、庫内の設定温度と実際の庫内温度を比較し、設定温度より庫内温度が高い場合に、圧縮機に回転数を加速させる指令を出し、その指令回転数を予測運転負荷として算出を行う。また、庫内温度が設定温度に近いもしくは少し低い場合は、回転数加速指令を出さずに、その時点での指令回転数を予測運転負荷として算出を行う。
【００６２】
また、同時に圧縮機からの信号により圧縮機の回転数を検知して、実測回転数を算出する。次に、算出された予測運転負荷と実測運転負荷の比較を行う。そしてＳｔｅｐＦ１（ＳｔｅｐＦ１−１からＳｔｅｐＦ３−１）とＳｔｅｐＦ２（ＳｔｅｐＦ２−１からＳｔｅｐＦ２−３）として、予測運転負荷と実測運転負荷の比較で、一致している一致していないにかかわらず、表示手段の予測運転表示部３３と実測運転負荷表示部３４を点灯させる。比較差がある所定値以上であった場合は、警告表示部３５に“圧縮機に異常な負荷がかかっています．”などの警告内容を表示する。
【００６３】
実際は、制御装置（制御装置１および制御装置２）にはメインマイコンとインバータマイコンが搭載されており、メインマイコンからインバータマイコンへ回転数の指令を出し、インバータマイコンは圧縮機３からの信号を受け、回転数の加速や減速指令を出し、メインマイコンからの指令回転数に圧縮機３の回転数を近づける制御を行っている。また、圧縮機３はある所定のトルク以内で回るように設計されている。
【００６４】
そこで、メインマイコンからインバータマイコンへ上限の回転数加速命令を出した場合に、圧縮機に予定外のトルク（過負荷）が生じている異常時などは、圧縮機は指令回転数どおり回ることなく、すなわち実測運転負荷が予測回転負荷を下回ることとなる。このような場合に、予測運転負荷と実測運転負荷と同時に、異常警告を警告表示部３５に表示する。ここでの表示手段を点灯は、各情報を、通信手段１８により制御装置１に集約したあと、制御装置１が行っている。
【００６５】
以上のように、本実施の形態の冷蔵庫は、運転負荷状態を予測値と実測値に分け、かつ異常時警告を表示することが可能となるので、冷蔵庫の運転状態をより正確に表示することができる。使用者にとって、冷蔵庫の状態をより正確に把握することができ、結果省エネ運転を意識することにつながる。
【００６６】
（実施の形態４）
本発明の実施の形態４は、実施の形態１から実施の形態４のいずれかで示されている冷蔵庫の表示手段および動作フローにおいて、制御装置の中にタイマー２０を設け、ある一定時間内に圧縮機３への指令回転数に変化がない場合は、表示手段の表示部を消灯させる動作手順を加える。
【００６７】
以上のように、本実施の形態の冷蔵庫は、圧縮機の回転数が安定している時は表示部を消灯させるので、表示手段で消費している電力を抑制でき、さらなる省エネ効果が図れる。
【００６８】
（実施の形態５）
本発明の実施の形態５は、実施の形態４において、表示手段の表示部消灯後、少しでも圧縮機３への指令回転数に変化があった場合や、図１に示すように冷蔵庫筐体１内に振動センサー２１を搭載し、振動を検知した場合に、表示手段の表示部を再点灯させる動作手順を加える。
【００６９】
以上のように、本実施の形態の冷蔵庫は、さらなる省エネ効果のため、表示手段の表示部を一度消灯させた後も、ドアを開けるなどの動作によって、すぐに表示部が再点灯して、冷蔵庫の運転状態を確認することができる。
【産業上の利用可能性】
【００７０】
以上のように、本発明にかかる冷蔵庫は、凝縮器温度の上昇より、凝縮器温度が圧縮比保護領域に達したことで、凝縮器フィルターの掃除時期を判断し、警告を報知する制御および表示手段と、圧縮機への指令回転数を運転負荷として算出し、運転負荷を報知する制御および表示手段と、ある時間の間、圧縮機への指令回転数に変化がなかった場合、表示手段を消灯させる制御手段と、表示手段の消灯後、圧縮機への指令回転数に少しでも変化があった場合や、冷蔵庫筐体が振動を検知した場合に、表示手段の再点灯を行う制御手段を備えることで、ランニングコスト削減のための省エネ効果を得ることや、省エネ運転を維持させるためのメンテナンス時期や冷蔵庫の運転状態を正確に把握することが可能となるので、しっかり冷えてかつランニングコストの低減が重要視される業務用冷蔵庫等の用途にも適用できる。
【図面の簡単な説明】
【００７１】
【図１】本発明による冷蔵庫の実施の形態の構成図
【図２】本発明による冷蔵庫の実施の形態の圧縮比保護領域の特性図
【図３】本発明による冷蔵庫の実施の形態１および実施の形態３における表示手段の正面図
【図４】本発明による冷蔵庫の実施の形態１および実施の形態３における表示の動作フローチャート
【図５】本発明による冷蔵庫の実施の形態１における表示の動作フローチャート
【図６】本発明による冷蔵庫の実施の形態２における表示手段の正面図
【図７】本発明による冷蔵庫の実施の形態２における動作フローチャート
【図８】本発明による冷蔵庫の実施の形態２における動作フローチャート
【図９】本発明による冷蔵庫の実施の形態３における表示手段の正面図
【図１０】本発明による冷蔵庫の実施の形態３における動作フローチャート
【図１１】従来の冷蔵庫の表示手段の構成図
【符号の説明】
【００７２】
１    冷蔵庫筐体
２    庫内１
３    圧縮機
４    凝縮器
５    膨張手段
６    蒸発器
７    蒸発器用ファン
８    凝縮器用ファン
９    蒸発器用温度センサー
１０  凝縮器用温度センサー
１１  凝縮器フィルター
１２  庫内温度センサー
１３  露付き防止ヒーター
１４  外気温センサー
１５  制御装置１
１６  制御装置２
１７  庫内２
１８  通信手段
１９  表示手段
２０  タイマー
２１  振動センサー
３０  庫内温度表示部
３１  運転負荷表示部
３２  フィルター掃除表示部
３３  予測負荷表示部
３４  実測予測表示部
３５  警告表示部
４０  操作パネル
４１  表示部
４２  スピード冷却解凍表示
４３  ボタンロック表示
４４  省エネ表示
４５  音声出力表示
４６  切替室表示部
４７  タイマー表示部
４８  冷蔵室表示部
４９  製氷表示部
５０  冷凍室表示部
５１  スピード冷却スイッチ
５２  スピード解凍スイッチ
５３  スピード冷凍スイッチ
５４  切換室設定スイッチ
５５  タイマー設定スイッチ
５６  冷蔵室温度設定スイッチ
５７  冷凍室温度設定スイッチ
５８  製氷スイッチ
【図１】
2005300100.tif 000003
【図３】
2005300100.tif 000004
【図４】
2005300100.tif 000005
【図５】
2005300100.tif 000006
【図６】
2005300100.tif 000007
【図７】
2005300100.tif 000008
【図８】
2005300100.tif 000009
【図９】
2005300100.tif 000010
【図１０】
2005300100.tif 000011
【図１１】
2005300100.tif 000012
【図２】
2005300100.tif 000013